(57)【要約】【課題】ユーザーの好みにあったインクの組み合わせが出力される色変換ルックアップテーブルを生成する技術を提供する。【解決手段】色変換ルックアップテーブル生成方法は、（ｉ）前記特定の色を表すパラメーター値を取得する工程と、（ｉｉ）前記パラメーター値に対応する複数の候補インク量セットと、前記複数の候補インク量セットの印刷結果に関する評価値とを算出する工程と、（ｉｉｉ）ユーザーの嗜好特性を入力させる工程と、（ｉｖ）前記嗜好特性と前記評価値とに基づいて決定されたインク量セットに前記パラメーター値を変換する色変換ルックアップテーブルを生成する工程と、を備える。【選択図】図５
2015142312.tif 000002
【特許請求の範囲】
【請求項１】
色空間中で指定された特定の色を印刷装置で使用可能な複数のインク量の組み合わせであるインク量セットに変換するための色変換ルックアップテーブルを生成する色変換ルックアップテーブル生成方法であって、
（ｉ）前記特定の色を表すパラメーター値を取得する工程と、
（ｉｉ）前記パラメーター値に対応する複数の候補インク量セットと、前記複数の候補インク量セットの印刷結果に関する評価値とを算出する工程と、
（ｉｉｉ）ユーザーの嗜好特性を入力させる工程と、
（ｉｖ）前記嗜好特性と前記評価値とに基づいて決定されたインク量セットに前記パラメーター値を変換する色変換ルックアップテーブルを生成する工程と、を備える、色変換ルックアップテーブル生成方法。
【請求項２】
請求項１に記載の色変換ルックアップテーブル生成方法であって、さらに、
前記工程（ｉｉ）の後に、
（ｖ）前記複数の候補インク量セットに基づいて、各候補インク量セットに対応するカラーパッチを出力する工程、を備え、
前記工程（ｉｉｉ）は、前記カラーパッチを選択させることにより、ユーザーの嗜好特性を入力させる工程である、色変換ルックアップテーブル生成方法。
【請求項３】
請求項２に記載の色変換ルックアップテーブル生成方法であって、
前記工程（ｖ）において、前記カラーパッチは、前記評価値に基づいて配列される、色変換ルックアップテーブル生成方法。
【請求項４】
色空間中で指定された特定の色を印刷装置で使用可能な複数のインク量の組み合わせであるインク量セットに変換するための色変換ルックアップテーブルを生成する色変換ルックアップテーブル生成装置であって、
前記特定の色を表すパラメーター値を取得する取得部と、
前記パラメーター値に対応する複数の候補インク量セットと、前記複数の候補インク量セットの印刷結果に関する評価値とを算出する算出部と、
ユーザーの嗜好特性を入力させる入力部と、
前記嗜好特性と前記評価値とに基づいて決定されたインク量セットに前記パラメーター値を変換する色変換ルックアップテーブルを生成する生成部と、を備える、色変換ルックアップテーブル生成装置。
【請求項５】
色空間中で指定された特定の色を印刷装置で使用可能な複数のインク量の組み合わせであるインク量セットに変換するための色変換ルックアップテーブルを生成する色変換ルックアップテーブル生成をコンピューターに行わせるプログラムであって、
（ｉ）前記コンピューターが、前記特定の色を表すパラメーター値を取得する機能と、
（ｉｉ）前記コンピューターが、前記パラメーター値に対応する複数の候補インク量セットと、前記複数の候補インク量セットの印刷結果に関する評価値とを算出する機能と、
（ｉｉｉ）前記コンピューターが、ユーザーの嗜好特性を入力させる機能と、
（ｉｖ）前記コンピューターが、前記嗜好特性と前記評価値とに基づいて決定されたインク量セットに前記パラメーター値を変換する色変換ルックアップテーブルを生成する機能と、を前記コンピューターに実現させる、色変換ルックアップテーブル生成プログラム。
【発明の詳細な説明】
【技術分野】
【０００１】
この発明は、色変換ルックアップテーブルを生成する技術に関する。
【背景技術】
【０００２】
画像の出力装置として、カラー印刷装置が広く普及している。カラー印刷装置のドライバーでは、アプリケーションソフトから指定される色空間中の色を印刷装置で使用可能な複数のインク量の組み合わせであるインク量セットに変換するための色変換ルックアップテーブルが参照される。従来、色変換ルックアップテーブルにおけるインクの組み合わせは、設計者が決定していた（例えば、特許文献１）。
【先行技術文献】
【特許文献】
【０００３】
【特許文献１】特開２００８−２３００４７号公報
【特許文献２】特表２００７−５１６６６３号公報
【特許文献３】特開平１０−２４８０１７号公報
【特許文献４】特開２００５−２２３６９５号公報
【特許文献５】特開２００５−２７８０７４号公報
【発明の概要】
【発明が解決しようとする課題】
【０００４】
しかし、設計者によるインクの組み合わせと、ユーザーの好みのインクの組み合わせが合致しない場合があった。特に、レッドやグリーンやブルーなどの特色に対応するインクの組み合わせについて、この違いが顕著に表れる場合があった。このため、ユーザーの好みにあったインクの組み合わせが出力される色変換ルックアップテーブルを生成する技術が求められていた。そのほか、従来の印刷装置においては、その小型化や、低コスト化、省資源化、製造の容易化、使い勝手の向上等が望まれていた。
【課題を解決するための手段】
【０００５】
本発明は、上述の課題の少なくとも一部を解決するためになされたものであり、以下の形態又は適用例として実現することが可能である。
【０００６】
（１）本発明の一形態によれば、色空間中で指定された特定の色を印刷装置で使用可能な複数のインク量の組み合わせであるインク量セットに変換するための色変換ルックアップテーブルを生成する色変換ルックアップテーブル生成方法が提供される。この色変換ルックアップテーブル生成方法は、（ｉ）前記特定の色を表すパラメーター値を取得する工程と、（ｉｉ）前記パラメーター値に対応する複数の候補インク量セットと、前記複数の候補インク量セットの印刷結果に関する評価値とを算出する工程と、（ｉｉｉ）ユーザーの嗜好特性を入力させる工程と、（ｉｖ）前記嗜好特性と前記評価値とに基づいて決定されたインク量セットに前記パラメーター値を変換する色変換ルックアップテーブルを生成する工程と、を備える。この形態の色変換ルックアップテーブル生成方法によれば、ユーザーの好みにあったインクの組み合わせが出力される色変換ルックアップテーブルを生成することができる。
【０００７】
（２）上記形態の色変換ルックアップテーブル生成方法において、さらに、工程（ｉｉ）の後に、（ｖ）前記複数の候補インク量セットに基づいて、各候補インク量セットに対応するカラーパッチを出力する工程、を備え、前記（ｉｉｉ）は、前記カラーパッチを選択させることにより、ユーザーの嗜好特性を入力させる工程であってもよい。この形態の色変換ルックアップテーブル生成方法によれば、ユーザーにカラーパッチを選択させることにより、ユーザーの好みにあったインクの組み合わせが出力される色変換ルックアップテーブルを生成することができる。
【０００８】
（３）上記形態の色変換ルックアップテーブル生成方法において、前記工程（ｖ）において、前記カラーパッチは、前記評価値に基づいて配列されるとしてもよい。この形態の色変換ルックアップテーブル生成方法によれば、評価値に基づいて配列したカラーパッチをユーザーに選択させることにより、ユーザーはより簡単に選択できる。また、この形態の色変換ルックアップテーブル生成方法によれば、ユーザーの好みにあったインクの組み合わせが出力される色変換ルックアップテーブルを生成することができる。
【０００９】
（４）本発明の一形態によれば、色空間中で指定された特定の色を印刷装置で使用可能な複数のインク量の組み合わせであるインク量セットに変換するための色変換ルックアップテーブルを生成する色変換ルックアップテーブル生成装置が提供される。この色変換ルックアップテーブル生成装置は、前記特定の色を表すパラメーター値を取得する取得部と、前記パラメーター値に対応する複数の候補インク量セットと、前記複数の候補インク量セットの印刷結果に関する評価値とを算出する算出部と、ユーザーの嗜好特性を入力させる入力部と、前記嗜好特性と前記評価値とに基づいて決定されたインク量セットに前記パラメーター値を変換する色変換ルックアップテーブルを生成する生成部と、を備える。この形態の色変換ルックアップテーブル生成装置によれば、ユーザーの好みにあったインクの組み合わせが出力される色変換ルックアップテーブルを生成することができる。
【００１０】
（５）本発明の一形態によれば、色空間中で指定された特定の色を印刷装置で使用可能な複数のインク量の組み合わせであるインク量セットに変換するための色変換ルックアップテーブルを生成する色変換ルックアップテーブル生成をコンピューターに行わせるプログラムが提供される。この色変換ルックアップテーブル生成プログラムは、（ｉ）前記コンピューターが、前記特定の色を表すパラメーター値を取得する機能と、（ｉｉ）前記コンピューターが、前記パラメーター値に対応する複数の候補インク量セットと、前記複数の候補インク量セットの印刷結果に関する評価値とを算出する機能と、（ｉｉｉ）前記コンピューターが、ユーザーの嗜好特性を入力させる機能と、（ｉｖ）前記コンピューターが、前記嗜好特性と前記評価値とに基づいて決定されたインク量セットに前記パラメーター値を変換する色変換ルックアップテーブルを生成する機能と、を前記コンピューターに実現させる。この形態の色変換ルックアップテーブル生成プログラムによれば、ユーザーの好みにあったインクの組み合わせが出力される色変換ルックアップテーブルを生成することができる。
【００１１】
なお、本発明は、種々の形態で実現することが可能であり、例えば、色変換ルックアップテーブル生成装置の製造システム、装置の機能を実現するためのコンピュータープログラムを記録した記録媒体等の形態で実現することができる。
【図面の簡単な説明】
【００１２】
【図１】本発明の一実施形態としての印刷装置の概略構成図。
【図２】印刷装置によって実行される印刷処理のフローチャート。
【図３】図１に示した色変換ＬＵＴ６１を生成するための色変換ＬＵＴ生成装置２０の概略構成図。
【図４】フォワードモデルコンバーター５００の概略図。
【図５】色変換ＬＵＴ生成装置２０によって実行される色変換ＬＵＴを生成するフローチャート。
【図６】特色の入力から特色変換テーブルの決定までの流れを説明した説明図。
【図７】印刷装置１０により印刷されたカラーパッチの模式図。
【発明を実施するための形態】
【００１３】
以下、上述した本発明の作用・効果を一層明らかにするため、本発明の実施の形態を実施形態に基づき次の順序で説明する。
Ａ．印刷装置：
Ｂ．色変換ＬＵＴ生成装置：
Ｃ．変形例：
【００１４】
Ａ．印刷装置：
図１は、本発明の一実施形態としての印刷装置の概略構成図である。印刷装置１０は、カラーインクジェット式印刷装置であり、紙送りモーター７４によって印刷媒体Ｐを搬送する機構と、キャリッジモーター７０によってキャリッジ８０をプラテン７５の軸方向に往復動させる機構と、キャリッジ８０に搭載された印刷ヘッド８１を駆動してインクの吐出及びドット形成を行う機構と、紙送りモーター７４，キャリッジモーター７０及び印刷ヘッド８１とを制御する制御ユニット３０と、図示していないコンピューターや記録媒体から画像データを取得して制御ユニット３０に供給する画像データ供給部９１と、を備えている。
【００１５】
キャリッジ８０には、カラーインクとして、例えば、シアンインクＣと、マゼンタインクＭと、イエロインクＹと、ブラックインクＫと、ライトシアンインクＬｃと、ライトマゼンタインクＬｍとをそれぞれ収容したカラーインク用のインクカートリッジ８２〜８７が搭載される。キャリッジ８０の下部の印刷ヘッド８１には、上述の各色のカラーインクに対応するノズル列が形成されている。キャリッジ８０にこれらのインクカートリッジ８２〜８７を上方から装着すると、インクカートリッジ８２〜８７から印刷ヘッド８１へのインクの供給が可能となる。本明細書において、カラーインクは、ブラックインクＫを含む。
【００１６】
制御ユニット３０は、ＣＰＵ４０と、ＲＯＭ５１と、ＲＡＭ５２と、ＥＥＰＲＯＭ６０とを備えている。ＣＰＵ４０は、ＲＯＭ５１に予め記憶された制御プログラムをＲＡＭ５２に展開して実行することで、キャリッジ８０の往復動や紙送りを制御すると共に、印刷ヘッド８１を駆動して、印刷媒体Ｐへのインク吐出を制御する。
【００１７】
ＥＥＰＲＯＭ６０には、色変換ＬＵＴ６１が記憶されている。色変換ルックアップテーブル６１（以下、「色変換ＬＵＴ６１」とも呼ぶ）は、画像データ供給部９１から供給されたＲＧＢ形式の画像データＯＲＧの色値を、インクカートリッジ８２〜８７に収容されたインクのそれぞれのインク量を表すインク量セットに変換するためのテーブルである。色変換ＬＵＴ６１は、文字用ＬＵＴ６１１と、画像用ＬＵＴ６１２と、特色用ＬＵＴ６１３とを含む。この特色用ＬＵＴ６１３は、後述する色変換ＬＵＴ生成装置によって生成されるものである。
【００１８】
図２は、印刷装置によって実行される印刷処理のフローチャートである。図２のステップＳ１０とステップＳ２０の横には、理解を容易とするための模式図を示す。ユーザーが印刷処理を指示すると、ＣＰＵ４０は、画像データ供給部９１から属性付きのデータＯＲＧを取得する（ステップＳ１０）。本実施形態において、属性とは、文字属性と、画像属性と、特色属性とを含む。なお、画像データＯＲＧは、画像属性のデータのみならず、文字属性のデータや、特色属性のデータを含む。
【００１９】
画像データＯＲＧを取得すると、ＣＰＵ４０は、属性によって使用する色変換ＬＵＴを切り替えた上で、ＥＥＰＲＯＭ６０に記憶された色変換ＬＵＴ６１（文字用ＬＵＴ６１１、画像用ＬＵＴ６１２、特色用ＬＵＴ６１３）を参照して、画像データＯＲＧの色値をインク量セットに変換する（ステップＳ２０）。つまり、文字属性の部分は文字用ＬＵＴ６１１を参照し、画像属性の部分は画像用ＬＵＴ６１２を参照し、特色属性の部分は特色用ＬＵＴ６１３を参照する。
【００２０】
色変換ＬＵＴ６１によりインク量セットへの色変換処理が完了すると、ＣＰＵ４０は、インク量セットに変換された画像データに対して、ハーフトーン処理を行う（ステップＳ３０）。ハーフトーン処理の具体的な方法としては、例えば、組織的ディザー法、誤差拡散法、濃度パターン法などを採用することができる。
【００２１】
次に、ＣＰＵ４０は、画像データＯＲＧのデータを並べ替えるためのラスタライズ処理を行う（ステップＳ４０）。ラスタライズ処理を行うと、ＣＰＵ４０は、ラスタライズされたデータに基づいて、キャリッジモーター７０、紙送りモーター７４及び印刷ヘッド８１を駆動し、印刷ヘッド８１からカラーインクを吐出させて、印刷を実行する（ステップＳ５０）。
【００２２】
Ｂ．色変換ルックアップテーブル生成方法：
Ｂ１．装置構成：
図３は、図１に示した色変換ＬＵＴ６１の特色用ＬＵＴ６１３を生成するための色変換ＬＵＴ生成装置２０の概略構成図である。色変換ＬＵＴ生成装置２０は、ＣＰＵ４１と、ＲＯＭ５３と、ＲＡＭ５４と、ＨＤＤ５５と、ディスプレイ５６と、マウスやキーボードなどの入力インタフェース５７とを備えるコンピューターとして構成されている。本実施形態において、色変換ＬＵＴ生成装置２０は、印刷装置１０に接続されている。
【００２３】
ＣＰＵ４１は、ＲＯＭ５３またはＨＤＤ５５に記憶されたプログラムをＲＡＭ５４に展開して実行することにより、候補インク量セット算出部２００、フォワードモデルコンバーター５００、評価値算出部３００、生成部４００等の各機能を実現する。ＨＤＤ５５には、特定の色名とその色名の色の色彩値とが対応するテーブルである特色ｔo色彩値変換テーブル６２が格納されており、この色変換ＬＵＴ生成装置２０によって生成される色変換ＬＵＴ６１についても格納される。
【００２４】
図４は、フォワードモデルコンバーター５００の概略図である。フォワードモデルコンバーター５００は、インク量セットをＣＩＥＬＡＢ色空間におけるＬ*値、ａ*値、ｂ*値（以下これらをまとめて単に「Ｌａｂ値」または「色彩値」という）に変換する機能を備えており、分光プリンティングモデルコンバーター５１０と、色コンバーター５２０とを備える。
【００２５】
分光プリンティングモデルコンバーター５１０は、ＣＭＹＫＬｃＬｍの各値によって表されるインク量セットを、分光反射率Ｒ（λ）に変換する。この分光反射率Ｒ（λ）は、そのインク量セットによって形成されるカラーパッチの測色値を表している。
【００２６】
色コンバーター５２０は、分光プリンティングモデルコンバーター５１０によって得られた分光反射率Ｒ（λ）から、Ｌａｂ値を算出する。このとき、色コンバーター５２０は、予め設定された光源の種類（例えば、標準光源であるＤ６５）や印刷用紙の種類（例えば、光沢紙）に基づいて、Ｌａｂ値を算出する。つまり、フォワードモデルコンバーター５００を用いれば、インク量セットを入力することにより、そのインク量セットに対応したＬａｂ値を一意に取得することができる。分光プリンティングモデルコンバーター５１０や色コンバーター５２０の構成、機能については、例えば、特表２００７−５１１１７５号公報や、特開２００８−２６３５７９号公報に開示されている。
【００２７】
候補インク量セット算出部２００（図３参照）は、色変換ＬＵＴ６１内の測色値に対して格納する複数のインク量セットの候補（以下、「候補インク量セット」ともいう）を求める機能を有する。
【００２８】
評価値算出部３００は、候補インク量セットの印刷結果に関する評価値を算出する機能を有する。
【００２９】
生成部４００は、評価値算出部３００によって算出された評価値と、ユーザーの嗜好特性とに基づいて決定されたインク量セットに色彩値を変換する色変換ＬＵＴを生成する機能を有する。
【００３０】
Ｂ２．色変換ルックアップテーブルの生成フロー：
図５は、色変換ＬＵＴ生成装置２０によって実行される色変換ＬＵＴを生成するフローチャートである。このフローにより、ユーザーの好みにあったインクの組み合わせが出力される色変換ＬＵＴを生成できる。
【００３１】
まず、ステップＳ１００において、ＣＰＵ４１は、ディスプレイ５６を介してユーザーが使用する特色名を入力させる。本実施形態において、特色とは、シアン（Ｃ）、マゼンタ（Ｍ）、イエロー（Ｙ）、ブラック（Ｋ）以外の色をいう。本実施形態において、ユーザーにより、特色として「緑」を選択されたとする。
【００３２】
ステップＳ１０５において、ＣＰＵ４１は、ユーザーにより入力された特色をインク量セットへ変換する特色用ＬＵＴがＨＤＤ５５に登録されているか否かを判断する。特色用ＬＵＴがＨＤＤ５５に登録されている場合（ステップＳ１０５：ＹＥＳ）、ＣＰＵ４１は、ＨＤＤ５５に登録されている特色用ＬＵＴの修正が必要か否かをディスプレイ５６に表示し、入力インタフェース５７を介してユーザーに入力させる。変換テーブルの修正が必要でないと入力インタフェース５７へ入力された場合（ステップＳ１１０：ＮＯ）、このフローは終了する。
【００３３】
一方、特色用ＬＵＴがＨＤＤ５５に登録されていない場合（ステップＳ１０５：ＮＯ）、または、特色用ＬＵＴの修正を必要とする場合（ステップＳ１１０：ＹＥＳ）、ＣＰＵ４１は、ＨＤＤ５５の特色ｔo色彩値変換テーブル６２を用いて、特色の色彩値を検索する（ステップＳ１１５）。
【００３４】
特色の色彩値の検索処理（ステップＳ１１５）により特色の色彩値が取得できない場合（Ｓ１２０：ＮＯ）、ＣＰＵ４１は、入力インタフェース５７を介して、ユーザーにより色彩値を入力させる。これにより、入力インタフェース５７は、特定の色を表す色彩値を取得する。なお、入力インタフェース５７として色差計を用い、ユーザーによりカラーチャートを測色させてもよい。
【００３５】
特色の色彩値の検索処理により特色の色彩値が取得できた場合（ステップＳ１２０：ＹＥＳ）、または、ユーザーが色彩値を入力した場合（Ｓ１２５）、ＣＰＵ４１は、候補インク量セット算出部２００により候補インク量セットを算出させ、評価値算出部３００により候補インク量セットの評価値を算出させる（ステップＳ１３０）。
【００３６】
本実施形態では、評価項目として、「連続性」、「ベタ性」、「粒状性」、「光耐性」、「使用量」を用いる。評価値算出部３００は、各評価項目における評価値を算出する。インク量セットの評価値の算出方法については、例えば、特開２００７−５１６６６３号公報や、特開２００８−２３００４７号公報に開示されている。また、インク量セットの評価値の算出方法として、インク量セットから評価値を求めるためのルックアップテーブルを参照して、評価値を求める方法も含む。なお、評価項目として、他の項目を用いてもよい。
【００３７】
図６は、特色の入力から特色用ＬＵＴの生成までの流れを説明した説明図である。
図６の左上の表は、ステップＳ１１５もしくはステップＳ１２０により入力された色彩値を表している。図６は、特色として「緑」および「赤」が入力されたことを示している。
【００３８】
図６の下の表は、色彩値に対応する複数の候補インク量セットと、各候補インク量セットの各評価項目における評価値とを表している。
【００３９】
本実施形態において、各項目の評価値は以下の内容を示す。「連続性」とは、他のＬＵＴが出力するインク量セットとの連続性を示し、他のＬＵＴが出力するインク量セットとの乖離が少ないほど高い数値となる。「ベタ性」とは、インクの色数が少ないことを示し、色数が少ないほど高い数値となる。「粒状性」とは、インクの濃度ばらつきに起因する粒状のランダムなテクスチャを示し、インクの濃度ばらつきが少ないほど高い数値となる。「光耐性」とは、光量が少ない場合と光量が多い場合との違いを示し、違いが少ないほど高い数値となる。「使用量」とは、インクの使用量を示し、インクの使用量が少ないほど、高い数値となる。
【００４０】
候補インク量セットおよび評価値の算出（ステップＳ１３０（図５参照））の後、ＣＰＵ４１は、入力インタフェース５７を介してユーザーが評価する点を入力させる（ステップＳ１３５）。具体的には、評価項目（連続性、ベタ性、粒状性、光耐性、使用量）をディスプレイ５６に列挙した上で、最もユーザーが評価する点について入力インタフェース５７を介して入力させる。評価する点の入力は、一つ以上の項目の入力であればよく、複数選択させる場合は優先順位を入力させてもよい。本実施形態において、ユーザーは、「ベタ性」、「粒状性」、「光耐性」の３つの評価点を、この順の優先順位で入力したとする。
【００４１】
ユーザーが評価する点について入力された（ステップＳ１３５）後、ＣＰＵ４１は、各候補インク量に対応するカラーパッチを生成した上で、カラーパッチを印刷装置１０に印刷させ、あわせて、ディスプレイ５６へ出力する（ステップＳ１４０）。なお、カラーパッチの出力は、印刷装置１０もしくはディスプレイ５６のいずれか一方の出力のみとしてもよい。
【００４２】
図７は、印刷装置１０により印刷されたカラーパッチの模式図を示す。図７において、カラーパッチは、評価値に基づいて配列される。図７において、カラーパッチは、ユーザーが選択した評価項目（「ベタ性」、「粒状性」、「光耐性」）の評価値に基づいて配列されている。また、図７において、ユーザーが評価する項目の評価値が高いほど中心に近い配列とされている。
【００４３】
図６の下の図の右側欄外には、各候補インク量セットの名前として、上から順に「候補インク量セットａ」、「候補インク量セットｂ」、「候補インク量セットｃ」が表記されており、この名前は、図７のカラーパッチ中にも表記されている。つまり、図６において、ベタ性の評価値が最も高い候補インク量セットａに対応するカラーパッチは、図７において中心に位置している。一方、図６において、候補インク量セットａに比べてベタ性に劣るが光耐性が優れる候補インク量セットｂに対応するカラーパッチは、図７において、候補インク量セットａに対応するカラーパッチと比較してベタ性は下だが、光耐性に優れる場所に位置している。また、図６において、候補インク量セットａに比べてベタ性、粒状性、光耐性に劣る候補インク量セットｃに対応するカラーパッチは、図７において、候補インク量セットａと比較してかなり下に位置している。このように、評価値に基づいてカラーパッチを配列させることにより、ユーザーにとって判断が容易となる。
【００４４】
評価値に応じてカラーパッチが出力された後（ステップＳ１４０（図５参照））、ＣＰＵ４１は、入力インタフェース５７を介してユーザーの嗜好特性と合致するカラーパッチを入力させる（ステップＳ１４５）。つまり、ＣＰＵ４１は入力インタフェース５７を介してユーザーの嗜好特性を入力させる。
【００４５】
その後、ＣＰＵ４１は、ユーザーに選択されたカラーパッチに対応する候補インク量セットに色彩値を変換する色変換ＬＵＴを、特色用ＬＵＴとして生成部４００により生成させる（ステップＳ１５０）。
【００４６】
図６の右上の表は、ユーザーに選択されたカラーパッチに対応する候補インク量セットへ色彩値を変換する特色用ＬＵＴを示した表である。本実施形態において、ユーザーに選択されたカラーパッチは、候補インク量セットｂに対応するカラーパッチとする。
【００４７】
以上により、色変換ルックアップテーブルの生成を終了する。このようにすることにより、ユーザーの好みにあったインクの組み合わせが出力されるルックアップテーブルを生成することができる。
【００４８】
なお、本実施形態における「ステップＳ１１５およびステップＳ１２０」が、課題を解決するための手段における「工程（ｉ）」に相当する。同様に、「ステップＳ１３０」が「工程（ｉｉ）」に相当し、「ステップＳ１４５」が「工程（ｉｉｉ）」に相当し、「ステップＳ１５０」が「工程（ｉｖ）」に相当し、「ステップＳ１４０」が「工程（ｖ）」に相当する。「入力インタフェース５７」が「取得部および入力部」に相当し、「候補インク量セット算出部２００および評価値算出部３００」が「算出部」に相当する。また、「色彩値」が「パラメーター値」に相当する。
【００４９】
Ｃ．変形例：
Ｃ１．変形例１：
上記実施形態では、機器独立表色系としてCIE-L*a*b*表色系を利用していたが、CIE-XYZ表色系やCIE-L*u*v*表色系などの他の任意の機器独立表色系を利用することが可能である。但し、滑らかな色再現を実現するという意味からは、CIE-L*a*b*表色系やCIE-L*u*v*表色系などの均等色空間である機器独立表色系を用いることが好ましい。
【００５０】
Ｃ２．変形例２：
本明細書において「インク」とは、インクジェットプリンターやオフセット印刷等に用いられる液体状インクに限らず、レーザプリンターに用いられるトナーも含む広い意味で使用されている。このような「インク」の広い意味を有する他の用語としては、「色材」や「着色材」、「着色剤」を用いることも可能である。
【００５１】
Ｃ３．変形例３：
上記実施形態では、ルックアップテーブルのような色変換対応情報を生成する方法及び装置に関して説明したが、本発明は、こうして得られた色変換対応情報を印刷装置に組み込む組み込み部を備える印刷装置製造システムにも適用可能である。色変換対応情報を作成する色変換対応情報生成装置は、この印刷装置製造システムに含まれるものとしてもよく、他のシステムや装置に含まれるものとしてもよい。なお、この製造システムの組み込み部は、例えば、プリンタードライバーのインストーラー（インストールプログラム）として実現することができる。
【００５２】
Ｃ４．変形例４：
上記実施形態では、フォワードモデルコンバーター５００を用いてインク量セットに対応したＬａｂ値を取得していたが、フォワードモデルコンバーター５００を用いる方法にかえて、あらかじめ、インク量セット候補とＬａｂ値が対応付けられた対応表を作成しておき、その中からインク量セット候補を選択してもよい。
【００５３】
Ｃ５．変形例５：
上記実施形態では、印刷装置１０が備えるキャリッジ８０には、カラーインクとして、例えば、シアンインクＣと、マゼンタインクＭと、イエロインクＹと、ブラックインクＫと、ライトシアンインクＬｃと、ライトマゼンタインクＬｍとをそれぞれ収容したカラーインク用のインクカートリッジ８２〜８７が搭載されているが、搭載されるインクはこれらのインクに限らない。例えば、キャリッジ８０には、カラーインクとして、例えば、シアンインクＣと、マゼンタインクＭと、イエロインクＹと、ブラックインクＫが搭載されていればよい。これらのインクに加えてレッドやグリーンやブルー等のインクなどが搭載されていてもよい。この場合、色変換ＬＵＴ生成装置２０は、キャリッジに搭載されたインクから構成された最適インク量セットの決定を行い、色変換ＬＵＴ６１の作成を行う。
【００５４】
Ｃ６．変形例６：
上記実施形態では、印刷装置１０は、インクジェット式印刷装置であったが、これに代えて、カラートナーを印刷媒体上に付着させて印刷を行うレーザプリンターや、オフセット印刷装置を採用することができる。
【００５５】
Ｃ７．変形例７：
上記実施形態では、印刷装置１０と色変換ＬＵＴ生成装置２０とを分離させた構成としたが、印刷装置１０に色変換ＬＵＴ生成装置２０の機能を組み込んでもよい。つまり、印刷装置１０が、色変換ＬＵＴ６１を生成することとしてもよい。また、コンピューターと印刷装置とを含む印刷システムを広義の印刷装置として捉え、コンピューターが色変換ＬＵＴ６１を生成して、この色変換ＬＵＴ６１を用いてコンピューターが色変換処理を行うこととしてもよい。この場合、コンピューターは、更に、ハーフトーン処理やラスタライズ処理を行い、印刷装置を制御して印刷を行わせることができる。
【００５６】
Ｃ８．変形例８：
上記実施形態では、ＥＥＰＲＯＭ６０に色変換ＬＵＴ６１が記憶されていたが、色変換ＬＵＴ６１は、その他ＲＯＭやＲＡＭ、ＨＤＤ等の他の記憶装置に記憶することとしてもよい。
【００５７】
Ｃ９．変形例９：
上記実施形態では、特色用ＬＵＴの生成について説明したが、本発明はこれに限られない。本発明は、画像用ＬＵＴの生成に用いてもよく、文字用ＬＵＴの生成に用いてもよい。つまり、本発明は、ＬＵＴの生成に用いることができる。
【００５８】
Ｃ１０．変形例１０：
上記実施形態では、ユーザーに選択されたカラーパッチに対応する候補インク量セットに色彩値を変換するＬＵＴを生成する。しかし、本発明はこれに限られない。つまり、ステップＳ１３５において、ユーザーに選択された評価項目の評価値が、最も高い候補インク量セットに、色彩値を変換するＬＵＴを生成してもよい。つまり、ユーザーの嗜好特性を入力させる工程を、ユーザーの評価項目を入力させる工程としてもよい。
【００５９】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６０】
１０…印刷装置
３０…制御ユニット
４０…ＣＰＵ
４１…ＣＰＵ
５６…ディスプレイ
５７…入力インタフェース
６１…色変換ルックアップテーブル
７０…キャリッジモーター
７４…モーター
７５…プラテン
８０…キャリッジ
８１…印刷ヘッド
８２…インクカートリッジ
９１…画像データ供給部
２００…候補インク量セット算出部
３００…評価値算出部
４００…生成部
５００…フォワードモデルコンバーター
５１０…分光プリンティングモデルコンバーター
５２０…色コンバーター
Ｐ…印刷媒体
Ｃ…シアンインク
Ｍ…マゼンタインク
Ｙ…イエロインク
Ｋ…ブラックインク
Ｒ…分光反射率
６２…特色ｔo色彩値変換テーブル
ａ…候補インク量セット
ｂ…候補インク量セット
ｃ…候補インク量セット
Ｌｃ…ライトシアンインク
Ｌｍ…ライトマゼンタインク
【図１】
2015142312.tif 000003
【図２】
2015142312.tif 000004
【図３】
2015142312.tif 000005
【図４】
2015142312.tif 000006
【図５】
2015142312.tif 000007
【図６】
2015142312.tif 000008
【図７】
2015142312.tif 000009